(57)【要約】【課題】捕獲殺虫装置において、ルーバーで誘引エリアを効率的に制御することができるようにする。【解決手段】捕獲殺虫装置１は、直管型の誘引光源２と、捕虫シート３と、これらを収納する筐体４とを備えている。筐体４は、誘引光源２の前方を覆うように形成された前面遮板１１と、誘引光源２を挟んで前面遮板１１と対向するように形成された後面遮板１２と、誘引光源２の両側方に形成された開口部１５と、開口部１５の一部を塞ぐように両側方の開口部１５に形成された縦ルーバー５とを有する。誘引光源２の両側方に形成された開口部１５の一部を塞ぐように、縦ルーバー５が誘引光源２の発光部２０に沿って伸びて形成されているので、１枚のルーバーで制御できる誘引エリアが広くなる。このため、縦ルーバー５で誘引エリアを効率的に制御することが可能となる。【選択図】図４
2006230258.tif 000002
【特許請求の範囲】
【請求項１】
虫を誘引する紫外線を含有した光を照射する誘引光源と、該誘引光源によって誘引された虫を捕獲する捕虫シートと、前記誘引光源及び前記捕虫シートを収納する筐体とを備えた捕獲殺虫装置において、
前記筐体は、
前記誘引光源の前方を覆うように形成された前面遮板と、前記誘引光源を挟んで該前面遮板と対向するように形成された後面遮板と、
前記誘引光源の両側方に形成された開口部と、
前記開口部の一部を塞ぐように両側方の開口部に形成され、前記誘引光源の発光部に沿って伸びる縦ルーバーとを有することを特徴とする捕獲殺虫装置。
【請求項２】
前記縦ルーバーは、縦方向に伸びる軸を中心にして回転自在に前記筐体に固定され、縦ルーバーの向きを変更自在にしたことを特徴とする請求項１に記載の捕獲殺虫装置。
【請求項３】
前記誘引光源から照射された光を反射する反射面を、前記後面遮板の前記誘引光源に対向する面に形成したことを特徴とする請求項１又は請求項２に記載の捕獲殺虫装置。
【請求項４】
前記捕虫シートを取り付けるためのシート取付面を、前記前面遮板及び前記後面遮板のうちの、前記前面遮板の前記誘引光源に対向する面にのみ形成したことを特徴とする請求項１乃至請求項３の何れかに記載の捕獲殺虫装置。
【請求項５】
前記前面遮板が、縦方向に伸びる軸を中心に回転して前記シート取付面が筐体の前方に展開されるように筐体に開閉自在に固定されたことを特徴とする請求項４に記載の捕獲殺虫装置。
【発明の詳細な説明】
【技術分野】
【０００１】
本発明は、誘引光源により誘引された虫を捕虫シートで捕獲する捕獲殺虫装置に関するものである。
【背景技術】
【０００２】
従来から、紫外線領域の光に反応して虫が集まる、いわゆる虫のすう光性を利用した捕獲殺虫装置が知られている。例えば、特許文献１に記載される捕獲殺虫装置は、虫を誘引する紫外線を含有した光（以下、誘引光という）を照射する直管型の誘引光源と、誘引光源によって誘引された虫を捕獲する捕虫シートと、誘引光源及び捕虫シートを収納する縦長の筐体とを備えており、誘引光源は、その発光部が筐体の縦方向に沿うように筐体内に収納されている。縦長の筐体は、誘引光源の前方及び後方をそれぞれ覆うように形成された前面壁及び背壁、並びに、前面壁と背壁の間（すなわち、誘引光源の両側方）に形成された開口部を有しており、開口部から漏れ出た誘引光により筐体内部に引き寄せられた虫が、前面壁及び背壁の内側に取り付けられた捕虫シートによって捕獲、殺虫される。なお、以下においては、誘引光による虫を誘引する効果を誘引効果といい、誘引光による誘引効果が得られる領域を誘引エリアいう。
【０００３】
また、例えば、特許文献２には、直管型の誘引光源と、誘引光源によって誘引された虫を吸引する吸引装置と、誘引光源の発光部が筐体の縦方向に沿うように誘引光源を収納する縦長の筐体とを備え、筐体に、横方向に伸びる（すなわち、誘引光源の発光部の管軸に直交するように伸びる）固定又は開閉自在のブラインド（以下、横ルーバーという）を形成した吸引式の捕獲殺虫装置が記載されている。
【特許文献１】特開２００４−１０５０５８号公報
【特許文献２】特開平１１−１２７７５２号公報
【発明の開示】
【発明が解決しようとする課題】
【０００４】
しかしながら、特許文献１に記載される捕獲殺虫装置のように背壁に捕虫シートが取り付けられる捕獲殺虫装置においては、捕虫シートと誘引光源との間に、虫が通過するスペースを確保する必要があるため、筐体の前後方向の厚さが厚くなるという問題や、捕虫シートが取り付けられた背壁が反射面として利用できないため誘引エリアが狭くなるという問題があった。また、誘引光源の両側方に形成された開口部から筐体の背壁が見えるため、捕虫シートに捕らえられた虫が、装置の斜め前方から見え易くなるという問題があった。
【０００５】
また、特許文献２に記載される捕獲殺虫装置のように横ルーバーを有する捕獲殺虫装置においては、誘引光源の発光部が筐体の縦方向に沿うように誘引光源を収納した場合、１枚のルーバーで誘引エリアを効率的に制御することが難しかった。
【０００６】
例えば、筐体の縦方向が鉛直方向となるように捕獲殺虫装置を設置した場合、誘引光源から上向きに照射された誘引光が横ルーバーにより規制されるため、誘引エリアは床面方向のみとなる。一般的に、イエバエは床面から１〜２ｍ付近を回遊するため、誘引エリアが床面方向のみとなる横ルーバーを有する捕獲殺虫装置では誘引効果が低下することとなる。
【０００７】
また、横ルーバーを有する捕獲殺虫装置では、１枚のルーバーで装置の斜め前方に照射される誘引光を規制することが難しく、誘引光源から出射された光が、装置の斜め前方に位置するユーザの目に直接入り易くなる。このため、横ルーバーを有する捕獲殺虫装置では、開口部を大きくしつつ（すなわち、誘引エリアを広くしつつ）、装置の斜め前方に位置するユーザから誘引光源を見え難くすることが難しかった。
【０００８】
本発明は、かかる点に鑑みてなされたものであり、ルーバーで誘引エリアを効率的に制御することができる捕獲殺虫装置を提供することを目的とする。
【０００９】
更に、薄型で、捕虫シートに捕らえられた虫がユーザから見え難く、捕虫シートの取り替えが容易で、且つ、より広い誘引エリアを形成することができる捕獲殺虫装置を提供することも目的とする。
【課題を解決するための手段】
【００１０】
上記目的を達成するために請求項１の発明は、虫を誘引する紫外線を含有した光を照射する誘引光源と、該誘引光源によって誘引された虫を捕獲する捕虫シートと、前記誘引光源及び前記捕虫シートを収納する筐体とを備えた捕獲殺虫装置において、前記筐体は、前記誘引光源の前方を覆うように形成された前面遮板と、前記誘引光源を挟んで該前面遮板と対向するように形成された後面遮板と、前記誘引光源の両側方に形成された開口部と、前記開口部の一部を塞ぐように両側方の開口部に形成され、前記誘引光源の発光部に沿って伸びる縦ルーバーとを有することを特徴とする。
【００１１】
請求項２の発明は、請求項１に記載の捕獲殺虫装置において、前記縦ルーバーは、縦方向に伸びる軸を中心にして回転自在に前記筐体に固定され、縦ルーバーの向きを変更自在にしたことを特徴とする。
【００１２】
請求項３の発明は、請求項１又は請求項２に記載の捕獲殺虫装置において、前記誘引光源から照射された光を反射する反射面を、前記後面遮板の前記誘引光源に対向する面に形成したことを特徴とする。
【００１３】
請求項４の発明は、請求項１乃至請求項３の何れかに記載の捕獲殺虫装置において、前記捕虫シートを取り付けるためのシート取付面を、前記前面遮板及び前記後面遮板のうちの、前記前面遮板の前記誘引光源に対向する面にのみ形成したことを特徴とする。
【００１４】
請求項５の発明は、請求項４に記載の捕獲殺虫装置において、前記前面遮板が、縦方向に伸びる軸を中心に回転して前記シート取付面が筐体の前方に展開されるように筐体に開閉自在に固定されたことを特徴とする。
【発明の効果】
【００１５】
請求項１に記載の捕獲殺虫装置によれば、誘引光源の両側方に形成された開口部の一部を塞ぐように、縦ルーバーが誘引光源の発光部に沿って伸びて形成されているので、１枚のルーバーで制御できる誘引エリアが広くなる。このため、縦ルーバーで誘引エリアを効率的に制御することが可能となる。
【００１６】
請求項２に記載の捕獲殺虫装置によれば、縦ルーバーの向きを変更自在にしたので、縦ルーバーによって開口部の一部又は全部を塞ぐことにより任意の方向に誘引光を照射することが可能となり、使用環境に応じて誘引エリアを調整することが可能となる。
【００１７】
請求項３に記載の捕獲殺虫装置によれば、反射面が後面遮板の誘引光源に対向する面に形成されているので、誘引光源から後面遮板に向けて出射された誘引光を反射面で開口部の方向に反射し、誘引光源から出射された誘引光を効率的に利用して誘引エリアを広くすることができる。
【００１８】
請求項４に記載の捕獲殺虫装置によれば、シート取付面が、前面遮板及び後面遮板のうちの、前面遮板の誘引光源に対向する面にのみ形成されているので、後面遮板と誘引光源の間に捕虫シートを配置するためのスペース及び虫が通過するためのスペースを確保する必要がないため筐体の前後方向の厚さを薄くすることができる。
【００１９】
また、シート取付面が、前面遮板及び後面遮板のうちの、前面遮板の誘引光源に対向する面にのみ形成されているので、捕虫シートに捕らえられた虫は、装置の真横又は後方位置からしか見ることができず、捕虫シートに捕らえられた虫を、装置の前方に位置するユーザの目に入り難くすることができる。
【００２０】
請求項５に記載の捕獲殺虫装置によれば、前面遮板はシート取付面が筐体の前方に展開されるように筐体に開閉自在に固定されているので、シート取付面が前方に展開された状態での捕虫シートの交換が可能となり、捕虫シートの交換が容易となる。
【発明を実施するための最良の形態】
【００２１】
本発明の第１の実施形態に係る捕獲殺虫装置について説明する。図１及び図２（ａ）〜（ｃ）に示されるように、捕獲殺虫装置１は、虫を誘引する紫外線を含有した光を照射する直管型の誘引光源２と、誘引光源２によって誘引された虫を捕獲する捕虫シート３と、誘引光源２及び捕虫シート３を収納する筐体４とを備えている。筐体４は横方向Ｄ２の寸法に比べて縦方向Ｄ１の寸法が長くなるように形成され、例えば、筐体４の縦方向Ｄ１が鉛直方向となるように設置される。
【００２２】
誘引光源２は、発光部２０の管軸２ａが筐体４の縦方向Ｄ１に沿うように筐体４内に収納されている。誘引光源２は、虫を誘引する紫外線を含有した光を照射するものであれば特に限定されるものではないが、虫のすう光曲線に近似される発光スペクトルを出射する誘引光源を用いることが好ましい。このような誘引光源として、例えば、捕虫器用蛍光灯（ＦＬ２０Ｓ  ＢＡ−３７  Ｋ  松下電器産業株式会社製）等を用いることができる。なお、「すう光性」とは、波長３６５ｎｍ付近の紫外線領域をピークに、２５０前後〜５５０ｎｍ前後の光に反応して集まる虫の性質をいい、このような光の特性を示す波長分布曲線を「すう光性曲線」という。図３に、虫のすう光曲線Ｌ１、及び捕虫器用蛍光灯（ＦＬ２０Ｓ  ＢＡ−３７  Ｋ  松下電器産業株式会社製）の発光スペクトルＬ２を示す。同図において、波長（ｎｍ）を横軸に、分光パワー（％）を縦軸にそれぞれ示している。
【００２３】
次に、筐体４について、図１及び図２（ａ）〜（ｃ）に加えて図４（ａ）（ｂ）の概略図を参照して詳述する。筐体４は、誘引光源２の前方、後方、上方、及び下方をそれぞれ覆うように形成された前面遮板１１、後面遮板１２、上面遮板１３、及び下面遮板１４と、誘引光源２の両側方に形成された開口部１５とを有している。前面遮板１１、後面遮板１２、及び開口部１５は、縦方向Ｄ１に伸びて形成されており、後面遮板１２は、誘引光源２を挟んで前面遮板１１と対向するように配置されている。また、筐体４は、開口部１５の一部を塞ぐように両側方の開口部１５に形成された縦ルーバー５を有している。縦ルーバー５は、誘引光源２の発光部２０に沿って（縦方向Ｄ１に沿って）伸びるように形成されており、上面遮板１３及び下面遮板１４に所定角度で固定されている。
【００２４】
前面遮板１１は、捕虫シート３が取り付けられるシート取付面１１ａを誘引光源２に対向する面に有すると共に、縦方向Ｄ１に伸びる軸１１ｂを中心に回転してシート取付面１１ａが筐体４の前方に展開されるように（図４（ｂ）参照）、筐体４に開閉自在に固定されている。シート取付面１１ａは、前面遮板１１及び後面遮板１２のうちの、前面遮板１１の誘引光源２に対向する面にのみ形成されている。
【００２５】
後面遮板１２は、誘引光源２から照射された光を反射する反射面１２ａを誘引光源２に対向する面に有すると共に、誘引光源２を反射面１２ａに近接して保持するための光源保持部１２ｂを有している（図２（ａ）〜（ｃ）参照）。誘引光源２は、この光源保持部１２ｂを介して不図示の電源に電気的に接続される。なお、本実施形態において、「誘引光源を反射面に近接して保持する」とは、誘引光源２と反射面１２ａの隙間に、捕虫シート３等の他の部材が配置されない程度に誘引光源２を反射面１２ａに近接させて保持することを意味する。
【００２６】
その他、捕獲殺虫装置１は、筐体４が立設されるベース部材２１、ＯＮ／ＯＦＦスイッチ２２、電子スタータ２３、安定器２４、及び電源コード２５などを備えている。
【００２７】
誘引光源２から開口部１５に向けて出射された誘引光、及び後面遮板１２の反射面１２ａ等で反射された誘引光は、縦ルーバー５により照射方向を制限されて開口部１５から出射されることにより、図５に示されるような誘引エリアＡを形成する。誘引エリアＡの誘引光により引き寄せられた虫は、開口部１５を介して筐体４の内部に侵入し、前面遮板１１に取り付けられた捕虫シート３により捕獲、殺虫される。
【００２８】
本実施形態の捕獲殺虫装置１よれば、誘引光源２の両側方に形成された開口部１５の一部を塞ぐように、縦ルーバー５が誘引光源２の発光部２０に沿って伸びて形成されているので、１枚のルーバーで制御できる誘引エリアが広くなる。このため、縦ルーバー５で誘引エリアを効率的に制御することが可能となる。
【００２９】
例えば、本実施形態のように、筐体４の縦方向Ｄ１が鉛直方向となるように捕獲殺虫装置１を設置した場合、縦ルーバー５を用いることにより、図５に示されるように、誘引エリアＡが縦方向Ｄ１に広く形成されため、装置より高い位置を回遊するイエバエ等も誘引可能となる。このため、横ルーバーを備えた従来の装置に比べて高い誘引効果を得ることができる。
【００３０】
また、図６に示されるように、縦ルーバー５を有する本装置では、１枚のルーバーで装置の斜め前方Ｅ１に照射される誘引光を規制することが容易であり、誘引光源２から照射された光が、装置の斜め前方Ｅ１に位置するユーザの目に直接入り難くなる。このため、縦ルーバー５を有する本装置では、開口部１５を大きくしつつ（すなわち、誘引エリアを広くしつつ）、装置の斜め前方Ｅ１に位置するユーザから誘引光源２を見え難くすることができる。
【００３１】
また、シート取付面１１ａが、前面遮板１１及び後面遮板１２のうちの、前面遮板１１の誘引光源２に対向する面にのみ形成されているので、後面遮板１２と誘引光源２の間に捕虫シート３を配置するためのスペース及び虫が通過するためのスペースを確保する必要がないため筐体４の前後方向の厚さを薄くすることができる。
【００３２】
また、反射面１２ａが後面遮板１２の誘引光源２に対向する面に形成されているので、図６に示されるように、誘引光源２から後面遮板１２に向けて出射された誘引光Ｒを反射面１２ａで開口部１５の方向に反射し、誘引光源２から出射された誘引光を効率的に利用して誘引エリアを広くすることができる。
【００３３】
また、シート取付面１１ａが、前面遮板１１及び後面遮板１２のうちの、前面遮板１１の誘引光源２に対向する面にのみ形成されているので、図６に示されるように、捕虫シート３に捕らえられた虫Ｉは装置の真横Ｅ２又は後方位置からしか見ることができず、捕虫シート３に捕らえられた虫Ｉを、装置の前方に位置するユーザの目に入り難くすることができる。
【００３４】
また、前面遮板１１はシート取付面１１ａが筐体４の前方に展開されるように筐体４に開閉自在に固定されているので、シート取付面１１ａが前方に展開された状態での捕虫シート３の交換が可能となり、捕虫シート３の交換が容易となる。また、シート取付面１１ａが前面遮板１１に集約されているので、捕虫シート３の交換が更に容易となる。また、筐体４の内部に手を入れ易くなるので、誘引光源２の交換や下面遮板１４等の掃除も容易となる。
【００３５】
次に、本発明の第２の実施形態に係る捕獲殺虫装置について説明する。本実施形態に係る捕獲殺虫装置は、縦ルーバーの向きを変更自在とした点で第１の実施形態と異なる。
【００３６】
図７（ａ）〜（ｃ）及び図８に示されるように、本実施形態の縦ルーバー５は、上端部５ａ及び下端部５ｂに形成された縦方向Ｄ１に伸びる回転軸５１と、上端部５ａに形成された凸部５２と、ルーバーの側端部５ｃを折り曲げて形成した鍔部５３とを有している。
【００３７】
筐体４には、縦ルーバー５の回転軸５１を支持する軸受（図示せず）が形成されており、図９（ａ）（ｂ）に示されるように、縦ルーバー５は、回転軸５１を中心に回転してその向きが変更自在となるように、筐体４に回転自在に固定されている。縦ルーバー５は、開口部１５の一部又は全部を塞ぐように両側方の開口部１５に２枚ずつ配置されている。縦ルーバー５の回転方向や回転角度は特に限定されるものではないが、本実施形態においては、縦ルーバー５が前面遮板１１及び後面遮板１２に対して略平行に配置された状態（図９（ａ）の状態、以下、この状態を開放状態という）から、時計回り方向に９０°又は反時計回り方向に９０°回転（図９（ｂ）の状態、以下、この状態を閉鎖状態という）可能な場合について説明する。
【００３８】
また、筐体４には、縦ルーバー５の凸部５２と嵌合する凹部（図示せず）が形成されており、これら凸部５２及び凹部が縦ルーバー５の開放状態又は閉鎖状態で嵌合して、縦ルーバー５の向きを固定できるようになっている。
【００３９】
次に、装置の使用環境に応じた縦ルーバー５の角度調整方法について図９（ａ）（ｂ）に加えて、図１０（ａ）〜（ｃ）を参照して説明する。図９（ａ）に示されるように、両側方の縦ルーバー５が全て開放状態の場合、誘引エリアＡは、図１０（ａ）に示されるように捕獲殺虫装置１の両側方に形成される。このように、両側方の縦ルーバー５が全て開放状態の場合、広い誘引エリアＡが得られるという利点がある。一方、図１０（ｂ）に示されるように、例えば、捕獲殺虫装置１の左側方に窓Ｗ等が存在している場合、窓Ｗから誘引光が漏れ出て不用意に窓の外の虫Ｉを呼び寄せてしまう虞がある。本実施形態の捕獲殺虫装置１においては、このような場合において、図９（ｂ）に示されるように左側の２枚の縦ルーバー５を閉鎖状態にする。このようにすることにより、図１０（ｃ）に示されるように、装置の左側の誘引エリアＡが規制され、窓Ｗから誘引光が漏れ出ないようにすることができ、窓Ｗに虫Iが集まってこないようにすることができる。
【００４０】
このように本実施形態の捕獲殺虫装置１によれば、第１の実施形態と同様の効果が得られる他、縦ルーバー５の向きを変更自在にしたので、縦ルーバー５によって開口部１５の一部又は全部を塞ぐことにより任意の方向に誘引光を照射することが可能となり、使用環境に応じて誘引エリアを調整することが可能になる。
【００４１】
本発明は上記実施形態の構成に限られることなく、発明の趣旨を変更しない範囲で種々の変形が可能である。例えば、誘引光源２として丸管型の誘引光源を用い、縦ルーバー５を丸管型の誘引光源の発光部の管軸に沿って伸びるように形成してもよい。また、シート取付面を上面遮板１３や下面遮板１４に形成するようにしてもよい。また、筐体４の縦方向Ｄ１が鉛直方向以外の方向になるように捕獲殺虫装置１を設置するようにしてもよい。
【図面の簡単な説明】
【００４２】
【図１】本発明の第１の実施形態に係る捕獲殺虫装置の斜視図。
【図２】（ａ）は同装置の上面図、（ｂ）は同正面図、（ｃ）は同側面図。
【図３】虫のすう光曲線、及び同装置に用いられる誘引光源の発光スペクトルを示す図。
【図４】（ａ）は前面遮板を閉じた状態の同装置の概略図、（ｂ）は前面遮板を開いた状態の同装置の概略図。
【図５】同装置の誘引エリアの説明図。
【図６】同装置を横方向に切断して示した概略図。
【図７】（ａ）は本発明の第２の実施形態に係る捕獲殺虫装置の縦ルーバーの上面図、（ｂ）は同正面図、（ｃ）は同側面図。
【図８】同縦ルーバーの斜視図。
【図９】（ａ）は縦ルーバーが開放状態の同装置を横方向に切断して示した概略図、（ｂ）は縦ルーバーが閉鎖状態の同装置を横方向に切断して示した概略図。
【図１０】（ａ）乃至（ｃ）は同縦ルーバーの角度調整方法の説明図。
【符号の説明】
【００４３】
１    捕獲殺虫装置
２    誘引光源
３    捕虫シート
４    筐体
５    縦ルーバー
１１  前面遮板
１２  後面遮板
１５  開口部
２０  発光部
１１ａ  シート取付面
１２ａ  反射面
【図１】
2006230258.tif 000003
【図２】
2006230258.tif 000004
【図３】
2006230258.tif 000005
【図４】
2006230258.tif 000006
【図５】
2006230258.tif 000007
【図６】
2006230258.tif 000008
【図７】
2006230258.tif 000009
【図８】
2006230258.tif 000010
【図９】
2006230258.tif 000011
【図１０】
2006230258.tif 000012